(57)【要約】【課題】操作性の向上を図る上で有利な数値表示装置およびプリセットデータ設定方法を提供する。【解決手段】数値表示装置１００は、測長ユニット２から前記移動体の移動量に応じて生成される計数信号Ｓｃを計数して前記移動量を示す移動量データを生成する計数回路１０を備える。第１乃至第３プリセットデータ用メモリ１４Ａ、１４Ｂ、１４Ｃは、操作部３０の操作によってプリセットデータが制御部２２を介して格納されるメモリである。プリセットモードでは、プリセットデータがリコールされディスプレイ２０に表示された状態で、プリセットデータは編集操作用メモリ１８にも格納される。この状態で、置数キー３０８を操作することで編集操作用メモリ１８のプリセットデータが編集される。【選択図】図１
2007003345.tif 000002
【特許請求の範囲】
【請求項１】
移動体の移動量を示す移動量データを表示する表示手段と、
前記移動体の移動量に応じて生成される計数信号を計数して前記移動量データを生成する計数手段と、
プリセットデータを設定し入力する設定手段と、
前記設定手段によって入力されたプリセットデータを記憶する記憶手段と、
前記記憶手段に記憶されている前記プリセットデータを読み出して前記表示手段に表示させるリコール手段とを備える数値表示装置であって、
前記リコール手段で読み出されて前記表示手段に表示されている前記プリセットデータの数値を編集する編集手段と、
前記表示手段に表示されている前記プリセットデータを確定する確定手段と、
前記計数手段から供給される前記移動量データを、前記確定手段で確定された前記プリセットデータを原点とした移動量データとして前記表示手段に表示させる制御手段とを設けた、
ことを特徴とする数値表示装置。
【請求項２】
前記表示手段は数字を表示する複数の表示桁を有し、前記編集手段による前記プリセットデータの数値の編集は、前記複数の表示桁のうちの選択された表示桁に対して行われることを特徴とする請求項１記載の数値表示装置。
【請求項３】
前記表示手段は数字を表示する複数の表示桁を有し、前記複数の表示桁のうち、選択された表示桁を所定の形態で表示させることが可能に構成され、前記編集手段による前記プリセットデータの数値の編集は、前記複数の表示桁のうち、前記所定の形態で表示された表示桁に対して行われることを特徴とする請求項１記載の数値表示装置。
【請求項４】
前記選択された表示桁の所定の形態の表示は、前記選択された表示桁の表示を明滅させることでなされることを特徴とする請求項４記載の数値表示装置。
【請求項５】
前記記憶手段は複数のプリセットデータを記憶し、前記リコール手段は前記記憶手段に記憶されている前記複数のプリセットデータを選択的に読み出して前記表示手段に表示させるように構成されていることを特徴とする請求項１記載の数値表示装置。
【請求項６】
移動体の移動量を示す移動量データを表示する表示手段と、
前記移動体の移動量に応じて生成される計数信号を計数して前記移動量データを生成する計数手段と、
プリセットデータを設定し入力する設定手段と、
前記設定手段によって入力されたプリセットデータを記憶する記憶手段とを備える数値表示装置におけるプリセットデータ設定方法であって、
前記記憶手段に記憶されている前記プリセットデータを読み出して前記表示手段に表示させるリコールステップと、
前記リコールステップで読み出されて前記表示手段に表示されている前記プリセットデータの数値を編集する編集ステップと、
前記表示手段に表示されている前記プリセットデータを確定する確定ステップと、
前記計数手段から供給される前記移動量データを、前記確定ステップで確定された前記プリセットデータを原点とした移動量として前記表示手段に表示させる制御ステップと、
を含むことを特徴とするプリセットデータ設定方法。
【発明の詳細な説明】
【技術分野】
【０００１】
本発明は数値表示装置およびプリセットデータ設定方法に関する。
【背景技術】
【０００２】
従来から、旋盤やボール盤などの工作機械において刃物に対する被加工物の移動量あるいは被加工物に対する刃物の移動量を検出して表示する測長システムが用いられている。
多くの場合、このような測長システムは、刃物あるいは被加工物、すなわち移動体の移動量を検出して計数信号を生成する測長ユニットと、前記計数信号に基づいて移動体の移動量を表示する数値表示装置（デジタル表示ユニット）で構成されている。
このような数値表示装置では、移動体を所望の移動量だけ移動させる際には、数値表示装置に設けられたテンキーなどを用いて所望の移動量を数値表示装置に設定して表示させておき、次いで、設定した移動量がゼロとなるように移動体を移動させている。
しかしながら、複数の孔を直線状に一定の間隔をおいて開けるといった場合には、同一の移動量を何度も設定しなくてはならず手間がかかるため、所望の移動量を予めプリセットデータとして数値表示装置に記憶させておき、必要に応じてプリセットデータをリコール（読み出し）して数値表示装置に設定する、いわゆるプリセット機能が提供されている。
そして、複数のプリセットデータを設定できるようにした数値表示装置も提案されている（特許文献１参照）。
【特許文献１】実公昭６１−１９８９６号公報
【発明の開示】
【発明が解決しようとする課題】
【０００３】
しかしながら、実際の加工においては、プリセットデータとして互いに数値が僅かに異なる複数の数値を順次設定しなければならないことも多い。
このような場合には、プリセットデータの桁の一部のみを編集（変更）すれば済むにも拘らず、従来は、プリセットデータの全桁をいちいち設定しなくてはならないため、操作が面倒なものとなっている。
このため、従来は、複数のプリセットデータが設定できるにも拘わらず、その機能があまり利用されておらず、操作性の向上が図られていないのが現状である。
本発明はこのような事情に鑑みなされたものであり、その目的は、操作性の向上を図る上で有利な数値表示装置およびプリセットデータ設定方法を提供することにある。
【課題を解決するための手段】
【０００４】
上述の目的を達成するため、本発明は、移動体の移動量を示す移動量データを表示する表示手段と、前記移動体の移動量に応じて生成される計数信号を計数して前記移動量データを生成する計数手段と、プリセットデータを設定し入力する設定手段と、前記設定手段によって入力されたプリセットデータを記憶する記憶手段と、前記記憶手段に記憶されている前記プリセットデータを読み出して前記表示手段に表示させるリコール手段とを備える数値表示装置であって、前記リコール手段で読み出されて前記表示手段に表示されている前記プリセットデータの数値を編集する編集手段と、前記表示手段に表示されている前記プリセットデータを確定する確定手段と、前記計数手段から供給される前記移動量データを、前記確定手段で確定された前記プリセットデータを原点とした移動量データとして前記表示手段に表示させる制御手段とを設けたことを特徴とする。
また、本発明は、移動体の移動量を示す移動量データを表示する表示手段と、前記移動体の移動量に応じて生成される計数信号を計数して前記移動量データを生成する計数手段と、プリセットデータを設定し入力する設定手段と、前記設定手段によって入力されたプリセットデータを記憶する記憶手段とを備える数値表示装置におけるプリセットデータ設定方法であって、前記記憶手段に記憶されている前記プリセットデータを読み出して前記表示手段に表示させるリコールステップと、前記リコールステップで読み出されて前記表示手段に表示されている前記プリセットデータの数値を編集する編集ステップと、前記表示手段に表示されている前記プリセットデータを確定する確定ステップと、前記計数手段から供給される前記移動量データを、前記確定ステップで確定された前記プリセットデータを原点とした移動量データとして前記表示手段に表示させる制御ステップとを含むことを特徴とする。
【発明の効果】
【０００５】
本発明によれば、リコールされたプリセットデータが表示手段に表示されている状態で、プリセットデータの数値を編集する編集手段を設けたので、リコールしたプリセットデータの一部を編集することで新たなプリセットデータを簡単にかつ迅速に設定することができる。
したがって、所望の移動量が複数種類あり、それら複数種類の移動量が互いに僅かに数値が異なっている場合には、プリセットデータの一部のみを編集すればよく、従来と違って、複数のプリセットデータをいちいち設定する必要が無く、操作性を向上させる上で有利となり、また、複数のプリセットデータをいちいち設定する必要が無いことから、作業者の負担を減らすことができひいては作業ミスの発生を抑制する上で有利となる。
【発明を実施するための最良の形態】
【０００６】
（第１の実施の形態）
次に本発明の第１の実施の形態について図面を参照して説明する。
図１は第１の実施の形態の数値表示装置１００の構成を示すブロック図である。
図２は第１の実施の形態の数値表示装置１００のフロントパネルを示す正面図である。
図３は第１の実施の形態の数値表示装置１００のプリセットデータの設定動作の説明図である。
図４は第１の実施の形態の数値表示装置１００のプリセットデータの設定操作を示すフローチャートである。
図５は第１の実施の形態の数値表示装置１００のプリセットデータのリコール操作およびプリセットデータの編集操作を示すフローチャートである。
【０００７】
まず、図１、図２を参照して数値表示装置１００の構成について説明する。
数値表示装置１００は、例えば、旋盤やボール盤などの工作機械などに取り付けられる測長ユニット２に接続されることで、工作機械の刃物に対する被加工物の移動量あるいは被加工物に対する刃物の移動量、言い換えると、移動体の移動量を示す移動量データを表示するものである。
本実施の形態では、数値表示装置１００は、移動体の移動方向を互いに直交する３つの軸（Ｘ軸、Ｙ軸、Ｚ軸）に対応した移動量を検出する３つの測長ユニット２が接続可能に構成されており、３つの移動量データを表示するために３つのディスプレイ２０（２０Ｘ，２０Ｙ，２０Ｚ）が設けられている。
図１に示すように、数値表示装置１００は、計数回路１０、現在値用メモリ１２、第１乃至第３プリセットデータ用メモリ１４Ａ、１４Ｂ、１４Ｃ、表示データ用メモリ１６、編集操作用メモリ１８、ディスプレイ２０、制御部２２、操作部３０などを備えている。
なお、図１では、説明の簡略化を図るため、３つの軸のうち１つの軸に対応する構成のみを示し、残りの２つの軸に対応する構成を省略し、以下の説明でも１つの軸についてのみ説明する。
【０００８】
計数回路１０は、測長ユニット２から前記移動体の移動量に応じて生成される計数信号Ｓｃを計数して前記移動量を示す移動量データを生成するものであり、従来公知の様々な回路構成が採用可能である。
また、計数信号Ｓｃは方形波、サイン波などであり、計数回路１０は、計数信号Ｓｃを従来公知の分割回路によって分割し、その分割された計数信号を計数するなどその構成は任意である。
なお、測長ユニット２は計数信号Ｓｃを生成するものであればよく、例えば、所定ピッチで形成された格子を光学的に読み取ることで計数信号Ｓｃを生成する光学式のエンコーダ、あるいは、所定ピッチでＮ極とＳ極が形成された磁気目盛りの磁界強度を磁気センサで読み取ることで計数信号Ｓｃを生成する磁気式のエンコーダなど従来公知の様々なエンコーダを採用可能である。
【０００９】
現在値用メモリ１２は、計数回路１０で計数された移動量データが制御部２２を介して格納されるメモリである。
現在値用メモリ１２に格納される移動量データは、計数回路１０の計数動作に応じて増減されるものである。
第１乃至第３プリセットデータ用メモリ１４Ａ、１４Ｂ、１４Ｃは、後述する操作部３０の操作によってプリセットデータが制御部２２を介して格納されるメモリであり、第１乃至第３プリセットデータ用メモリ１４Ａ、１４Ｂ、１４Ｃのそれぞれに独立したプリセットデータが格納可能である。
表示データ用メモリ１６は、ディスプレイ２０に表示される移動量データが制御部２２を介して格納されるメモリである。
編集操作用メモリ１８は、第１乃至第３プリセットデータ用メモリ１４Ａ、１４Ｂ、１４Ｃから制御部２２によって読み出されたプリセットデータが一時的に格納されるメモリであり、編集操作用メモリ１８に格納されたプリセットデータは、操作部３０および制御部２２によって編集されるものである。
なお、本明細書において、編集とは、データを変更、あるいは、修正することをいう。
【００１０】
図２に示すように、本実施の形態では、ディスプレイ２０は前記３つの軸に応じて３つ設けられ、各ディスプレイ２０は、数字を表示する複数の表示桁を有しており、制御部２２の制御により、複数の表示桁の全てを常時表示させる通常表示モードと、複数の表示桁のうち、選択された１つまたは２つ以上の表示桁を所定の形態で表示させる選択表示モードとに切り換えることができるように構成されている。前記所定の形態での表示は、選択された表示桁の表示を明滅（点滅）させることでなされている。
また、本実施の形態では、ディスプレイ２０は、移動量データをｍｍ単位で、かつ、小数点以下３桁目、すなわち、０．００１ｍｍまで、０．００１ｍｍ単位で表示できるように構成されている。
【００１１】
図２に示すように、操作部３０は、各ディスプレイ２０に対応してそれぞれ設けられたリセットキー３０２（３０２Ｘ、３０２Ｙ，３０２Ｚ）および軸選択キー３０４（３０４Ｘ、３０４Ｙ、３０４Ｚ）と、プリセットモードキー３０６と、置数キー（テンキー）３０８と、メモリ選択キー３１０と、編集キー３１２と、訂正キー３１４と、確定キー３１６とを備えている。
リセットキー３０２は、各軸のディスプレイ２０に表示されている移動量データをリセット、すなわち、ゼロに設定する際に操作されるものである。
軸選択キー３０４は、後述するプリセットデータの設定を行うディスプレイ２０を選択する際に操作されるものである。
プリセットモードキー３０６は、制御部２２による制御を、プリセットデータの入力あるいはプリセットデータのリコールを行うプリセットモードに移行させる際に操作されるものである。
置数キー３０８は、プリセットデータを設定入力する際に操作されるものであり、本実施の形態では、０乃至９までの数字キー、小数点キー、プラスマイナスの符号キーを含んでいる。
メモリ選択キー３１０は、第１乃至第３のプリセットデータ用メモリ１４Ａ乃至１４Ｃを選択する際に操作されるものである。
編集キー３１２は、各種データを編集する際に操作されるものである。
訂正キー３１４は、置数キー３０８で入力された数値をクリアし訂正する際に操作されるものである。
確定キー３１６は、置数キー３０８で入力された数値の入力を確定する際に操作されるものである。
【００１２】
制御部２２は、計数回路１０、現在値用メモリ１２、第１乃至第３プリセットデータ用メモリ１４Ａ、１４Ｂ、１４Ｃ、表示データ用メモリ１６、編集操作用メモリ１８、ディスプレイ２０、操作部３０に接続され、それら各部の制御を司るものである。
制御部２２は、具体的には、ＣＰＵと、制御プログラムを格納するＲＯＭと、ワーキングエリアを提供するＲＡＭと、ＣＰＵ、ＲＯＭおよびＲＡＭを接続するバスと、前記各部とバスの間に設けられたインターフェースなどを含んで構成され、前記制御プログラムをＣＰＵが実行することで種々の制御動作を実行するように構成されている。
【００１３】
次に、数値表示装置１００の動作について説明する。
まず、通常の表示動作について説明する。
通常の表示動作では、図１、図３に示すように、制御部２２は、計数回路１０から供給された移動量データを現在値用メモリ１２に格納すると同時に、その現在値用メモリ１２に格納した移動量データを表示データ用メモリ１６に格納する。
そして、制御部２２は、表示データ用メモリ１６に格納されている移動量データをディスプレイ２０に表示させる（図３の表示処理Ａに相当）。
したがって、前記移動体が移動すると、現在値用メモリ１２、表示データ用メモリ１６に格納されている移動量データが変化され（増加あるいは減少され）、その変化された移動量データが順次ディスプレイ２２に表示される。
なお、この通常の表示動作では、ディスプレイ２０は、複数の表示桁の全てを常時表示させる通常表示モードとなっている。
【００１４】
次に、プリセットデータの設定操作について図３の説明図と図４のフローチャートを参照して説明する。
まず、プリセットモードキー３０６を操作してプリセットモードに移行する（ステップＳ１０）。
次いで、３つの軸のうちから１つの軸に対応する軸選択キー３０４を操作して軸を選択する（ステップＳ１２）。
次に、置数キー３０８を操作して所望のプリセットデータを入力する（ステップＳ１４）。
すると、制御部２２は、入力されたプリセットデータを編集操作用メモリ１８に格納するとともに表示データ用メモリ１６に格納する（ステップＳ１６）。
プリセットデータが表示データ用メモリ１６に格納されることでプリセットデータがディスプレイ２２に表示される（図３の表示処理Ｂに相当）。
入力したプリセットデータの編集が必要であれば、訂正キー３１４で入力した数字を削除し、改めて置数キー３０８によって数字を入力する（図３の編集操作に相当）。
ディスプレイ２０に表示されているプリセットデータが正しいものであれば、メモリ選択キー３１０を操作してプリセットデータを格納すべきプリセットデータ用メモリを選択し、次いで、確定キー３１６を操作する（ステップＳ１８）。
なお、第１乃至第３プリセットデータ用メモリ１４Ａ、１４Ｂ、１４Ｃの選択は、メモリ選択キー３１０を操作する毎に、ディスプレイ２０に、第１乃至第３プリセットデータ用メモリ１４Ａ、１４Ｂ、１４Ｃの何れかを示す表示が制御部２２によって順次表示されるため、選択すべきプリセットデータ用メモリが表示されるまでメモリ選択キー３１０を繰り返して操作することで行われる。
これにより、制御部２２は、編集操作用メモリ１８のプリセットデータを、第１乃至第３プリセットデータ用メモリ１４Ａ、１４Ｂ、１４Ｃのうちの選択された１つに格納される（ステップＳ２０および図３の記憶に相当）。
さらに、制御部２２は、第１乃至第３プリセットデータ用メモリ１４Ａ、１４Ｂ、１４Ｃのうちの選択された１つに格納したプリセットデータを現在値用メモリ１２に格納する（ステップＳ２２および図３の上書きに相当）。
そして、制御部２２は、現在値用メモリ１２のプリセットデータを表示データ用メモリ１６に格納する（ステップＳ２４）。
制御部２２は、表示データ用メモリ１６のプリセットデータをディスプレイ２０に表示させる（ステップＳ２６および図３の表示処理Ａに相当）。
以上のようにしてプリセットデータの設定が完了する。
これ以降は前述した通常の表示動作に戻り、前記移動体が移動すると、ディスプレイ２０に表示されている前記プリセットデータを原点として、現在値用メモリ１２および表示データ用メモリ１６に格納されている移動量データが変化され（増加あるいは減少され）、その変化された移動量データが順次ディスプレイ２２に表示される。
言い換えると、計数回路１０から供給される前記移動量データが、前記確定されたプリセットデータを原点とした移動量データとしてディスプレイ２２に表示される。
【００１５】
次に、プリセットデータのリコール操作および編集操作について図３の説明図と図５のフローチャートを参照して説明する。
まず、プリセットモードキー３０６を操作してプリセットモードに移行する（ステップＳ３０）。
次いで、３つの軸のうちから１つの軸に対応する軸選択キー３０４を操作して軸を選択する（ステップＳ３２）。
次に、メモリ選択キー３１０を操作してプリセットデータを読み出すべきプリセットデータ用メモリを選択する（ステップＳ３４）。
制御部２２は、選択されたプリセットデータ用メモリからプリセットデータを読み出して表示データ用メモリ１６に格納し、これにより、プリセットデータがディスプレイ２０に表示され、また、プリセットデータを編集操作用メモリ１８にも格納する（ステップＳ３６）。
なお、この段階では、前記読み出されたプリセットデータは現在値用メモリ１２に格納されていない。
【００１６】
次に、使用者は、ディスプレイ２０に表示されたプリセットデータを編集するか、編集せずにそのまま使用するかを判断する（ステップＳ３８）。
プリセットデータを編集する場合には、置数キー３０８を操作して編集操作用メモリ１８のプリセットデータを編集する（ステップＳ４０）。この際、編集操作用メモリ１８のプリセットデータは制御部２２により表示データ用メモリ１６にも格納されるため、編集中のプリセットデータはディスプレイ２０に表示されている（図３の編集操作および表示処理Ｂに相当）。
制御部２２は、ディスプレイ２０の複数の表示桁のうち、１つの表示桁の表示を明滅させることで編集する対象となる表示桁を特定するとともに、その明滅する表示桁を例えば軸選択スイッチ３０４の操作に応じて順次上位の表示桁から下位の表示桁に（あるいは順次下位の表示桁から上位の表示桁に）１桁ずつ移動させる。
したがって、軸選択スイッチ３０４の操作により、編集すべき表示桁を１桁単位で選択し、置数キー３０８を操作することで１桁単位でプリセットデータの編集を行うことができる。
【００１７】
プリセットデータの編集が完了したならば、確定キー３１６を操作する（ステップＳ４２）。
これにより、制御部２２は、編集操作用メモリ１８のプリセットデータを、ステップＳ３４で選択したプリセットデータ用メモリに格納する（ステップＳ４４および図３の記憶に相当）。
さらに、制御部２２は、そのプリセットデータ用メモリに格納したプリセットデータを現在値用メモリ１２に格納する（ステップＳ４６および図３の上書きに相当）。
そして、制御部２２は、現在値用メモリ１２のプリセットデータを表示データ用メモリ１６に格納する（ステップＳ４８）。
制御部２２は、表示データ用メモリ１６のプリセットデータをディスプレイ２０に表示させる（ステップＳ５０および図３の表示処理Ａに相当）。
以上のようにしてプリセットデータの編集が完了する。
これ以降は前述した通常の表示動作に戻り、前記移動体が移動すると、ディスプレイ２０に表示されている前記プリセットデータを原点として、現在値用メモリ１２、表示データ用メモリ１６に格納されている移動量データが変化され（増加あるいは減少され）、その変化された移動量データが順次ディスプレイ２２に表示される。
言い換えると、計数回路１０から供給される前記移動量データが、前記確定されたプリセットデータを原点とした移動量データとしてディスプレイ２２に表示される。
【００１８】
一方、ステップＳ３８でディスプレイ２０に表示されたプリセットデータを編集せずにそのまま使用すると判断した場合には、ステップＳ４６に移行し、以下、ステップＳ４８、ステップＳ５０を実行することでプリセットデータを設定する。
また、これ以降は前述した通常の表示動作に戻り、同様の動作がなされる。
【００１９】
なお、本実施の形態では、移動体の移動量データを表示する表示手段が、ディスプレイ２０で構成されている。
また、移動体の移動量に応じて生成される計数信号を計数して前記移動量データを生成する計数手段が、計数回路１０で構成されている。
また、プリセットデータを設定し入力する設定手段が、置数キー３０８、確定キー３１６、制御部２２で構成されている。
また、設定手段によって入力されたプリセットデータを記憶する記憶手段が、第１乃至第３のプリセットデータ用メモリ１４Ａ，１４Ｂ、１４Ｃで構成されている。
また、前記記憶手段に記憶されている前記プリセットデータを読み出して前記表示手段に表示させるリコール手段が、制御部２２で構成されている。
また、前記リコール手段で読み出されて前記表示手段に表示されている前記プリセットデータの数値を編集する編集手段が、置数キー３０８および制御部２２で構成されている。
また、前記表示手段に表示されている前記プリセットデータを確定する確定手段が、確定キー３１６および制御部２２で構成されている。
また、前記計数手段から供給される前記移動量データを、前記確定手段で確定された前記プリセットデータを原点とした移動量データとして前記表示手段に表示させる制御手段が、制御部２２で構成されている。
【００２０】
また、本実施の形態では、前記記憶手段に記憶されている前記プリセットデータを読み出して前記表示手段に表示させるリコールステップが、ステップＳ３４、Ｓ３６で構成されている。
また、前記リコールステップで読み出されて前記表示手段に表示されている前記プリセットデータの数値を編集する編集ステップが、ステップＳ４０で構成されている。
また、前記表示手段に表示されている前記プリセットデータを確定する確定ステップが、ステップＳ４２で構成されている。
また、前記計数手段から供給される前記移動量データを、前記確定ステップで確定された前記プリセットデータを原点とした移動量データとして前記表示手段に表示させる制御ステップが、ステップＳ４４、Ｓ４６、Ｓ４８、Ｓ５０で構成されている。
【００２１】
本実施の形態によれば、リコールされたプリセットデータがディスプレイ２０に表示されている状態で、プリセットデータの数値を編集する編集手段を設けたので、リコールしたプリセットデータの一部を編集することで新たなプリセットデータを簡単にかつ迅速に設定することができる。
したがって、所望の移動量が複数種類あり、それら複数種類の移動量が互いに僅かに数値が異なっている場合には、プリセットデータの一部のみを編集すればよく、従来と違って、複数のプリセットデータをいちいち設定する必要が無く、操作性を向上させる上で有利となり、また、複数のプリセットデータをいちいち設定する必要が無いことから、作業者の負担を減らすことができひいては作業ミスの発生を抑制する上で有利となる。
また、本実施の形態では、ディスプレイ２０が数字を表示する複数の表示桁を有し、前記複数の表示桁のうち、選択された１つの表示桁の表示を明滅させることが可能に構成され、プリセットデータの数値の編集は、前記複数の表示桁のうち、前記表示が明滅された１つの表示桁単位で行われるようにした。
したがって、リコールされたプリセットデータのうちの一部のみを編集する場合、プリセットデータの全桁の数値を入力しなおす必要が無く、入力する操作回数が僅かで済み、操作性を向上させる上でより有利となる。
具体的にいえば、所望の移動量が、例えば、４．０００ｍｍ、４．１００ｍｍ、４．１５０ｍｍの３つあった場合、従来は、この３つの数値の全桁をいちいちプリセットデータとして入力する必要がある。
これに対して本実施の形態では、初めに４．０００ｍｍをプリセットデータとして設定すれば、次は、４．１００ｍｍのうちの小数点以下１桁目の「１」という数値だけを編集すればよく、その次は、４．１５０ｍｍのうち小数点以下２桁目の「５」という数値だけを編集すればよく、置数キー３０８の操作回数が極めて少なくて済むことが明らかである。
【００２２】
なお、実施の形態では、編集すべき表示桁を１桁単位で選択し、１桁単位でプリセットデータの編集を行う場合について説明したが、プリセットデータの表示桁を２桁以上の単位で選択するとともに、２桁以上の単位でプリセットデータの編集を行ってもよいことはもちろんである。
また、実施の形態では、ディスプレイ２０において選択された表示桁の所定の形態の表示が、選択された表示桁の表示を明滅させることでなされる場合について説明したが、前記所定の形態の表示は、これに限定されるものではなく、例えば、選択された表示桁の明暗を反転表示させたり、あるいは、カーソルを表示させるなど、選択された表示桁の表示は従来公知の様々な方法で行うことができる。
また、実施の形態では、プリセットデータ用メモリが３つ設けられている場合について説明したが、プリセットデータ用メモリの数は１つ、あるいは、２つ、あるいは、４つ以上でもよいことは無論である。
【図面の簡単な説明】
【００２３】
【図１】第１の実施の形態の数値表示装置１００の構成を示すブロック図である。
【図２】第１の実施の形態の数値表示装置１００のフロントパネルを示す正面図である。
【図３】第１の実施の形態の数値表示装置１００のプリセットデータの設定動作の説明図である。
【図４】第１の実施の形態の数値表示装置１００のプリセットデータの設定操作を示すフローチャートである。
【図５】第１の実施の形態の数値表示装置１００のプリセットデータのリコール操作およびプリセットデータの編集操作を示すフローチャートである。
【符号の説明】
【００２４】
１０……計数回路、１２……現在値用メモリ、１４Ａ……第１プリセットデータ用メモリ、１４Ｂ……第２プリセットデータ用メモリ、１４Ｃ……第３プリセットデータ用メモリ、１６……表示データ用メモリ、１８……編集操作用メモリ、２０……ディスプレイ、２２……制御部、３０……操作部、１００……数値表示装置。
【図１】
2007003345.tif 000003
【図２】
2007003345.tif 000004
【図３】
2007003345.tif 000005
【図４】
2007003345.tif 000006
【図５】
2007003345.tif 000007